(57)【要約】【課題】　重心位置を下げるような設計の自由度が高いゴルフクラブの製造方法を提供する。【解決手段】　中空アイアン式はフェース板14と、前面にフェース板14を固着する窓孔11を設け背面に中空部41を形成すると共に一側にシャフト取付け部８を設けたヘッド本体１Ａと、ヘッド本体１Ａに連結したシャフト２とを備える。ヘッド本体１Ａの前面側から機械加工部20を窓孔11を通してヘッド本体１Ａの一部を形成する中空部41を加工した後、窓孔11にフェース板14をレーザー溶接により固着する【選択図】図１２
2004008810.tif 000002
【特許請求の範囲】
【請求項１】
　フェース部材と、前面に前記フェース部材を固着する窓孔を設け背面に中空部を介して背面殻を形成すると共に一側にシャフト取付け部を設けたヘッド本体と、前記ヘッド本体に連結したシャフトとを備えるゴルフクラブの製造方法において、前記ヘッド本体の前面側から機械加工部を前記窓孔を通してヘッド本体の前側を加工した後、前記窓孔にフェース部材を溶接により固着することを特徴とするゴルフクラブの製造方法。
【請求項２】
　フェース部材と、前面に前記フェース部材を固着する窓孔を設け背面に中空部を介して背面殻を形成すると共に内面の前側にえぐり部を形成し、一側にシャフト取付け部を設けたヘッド本体と、前記ヘッド本体に連結したシャフトとを備えるゴルフクラブの製造方法において、前記ヘッド本体の前面側から窓孔を通して挿入し前記中空部及びえぐり部を形成するための突部を設けた金型により該ヘッド本体を加工した後、前記窓孔にフェース部材を溶接により固着することを特徴とするゴルフクラブの製造方法。
【発明の詳細な説明】
【技術分野】
【０００１】
　本発明は、ゴルフクラブの製造方法に関するものである。
【背景技術】
【０００２】
　特許第２５６０２７２号公報に示すように、フェース部材と、前面にフェース部材を固着する窓孔を設け背面に凹部を形成すると共に一側にシャフト取付け部を設けたヘッド本体と、前記ヘッド本体に連結したシャフトとを備えるアイアン形ゴルフクラブは公知である。そして、アイアン形ゴルフクラブはキャビティバック形状のヘッドが主流になっている。キャビティバック形状は、ヘッドの背面中央部をへこませて凹部を形成することによりヘッドの周辺に重量配分して、慣性モーメントを増大させ、ゴルフボールをショットするときにスイートエリアを外したオフセンターヒットでも打球方向のばらつきを少なくすることができる。
【０００３】
　また、キャビティバック形状のヘッドをさらに改良したものとしてアンダーカット形状のものも周知である。このアンダーカット形状はソール方向に深くえぐることにより重心深度を深くすると共に、フェースがたわむ面積を広げ打球の反発を向上させるものである。
【０００４】
　そして、前記アンダーカット形状のヘッドを製造する方法は、金型においてキャビティを形成する部分を入子式とした製造方法、背面側から切削加工して前面にフェースを背面に凹部を形成すると共に、一側にシャフト取付け部を設けたヘッドにシャフトを連結したゴルフクラブにおいて、アンダーカット形状とする製造方法などが周知である。
【特許文献１】特許第２５６０２７２号公報
【発明の開示】
【発明が解決しようとする課題】
【０００５】
　しかしながら、従来の製造方法においてはいずれの方法もえぐる深さや形状において限界がある。すなわち、入子式金型により製造方法では、成形した後入子を外さなければならないが、アンダーカットを深くすると入子を外せなくなってしまう。またヘッドの背面からの切削加工による製造方法では、ドリルなどの切削具が奥まで届かなかったり、他の部分を傷付けてしまう虞がある。つまり、従来のこれらの製造方法では、アンダーカットを自由に形成することはできず、この結果重心位置を設定する自由度が制限され、またフェースがたわむ有効な形状、面積を確保しにくくなる。
【０００６】
　そこで、本発明は、前記問題に鑑み、重心位置を下げるような設計の自由度が高いゴルフクラブの製造方法を提供することを目的とする。
【課題を解決するための手段】
【０００７】
　請求項１の発明は、フェース部材と、前面に前記フェース部材を固着する窓孔を設け背面に中空部を介して背面殻を形成すると共に一側にシャフト取付け部を設けたヘッド本体と、前記ヘッド本体に連結したシャフトとを備えるゴルフクラブの製造方法において、前記ヘッド本体の前面側から機械加工部を前記窓孔を通してヘッド本体の前側を加工した後、前記窓孔にフェース部材を溶接により固着することを特徴とするゴルフクラブの製造方法である。
【０００８】
　請求項２の発明は、フェース部材と、前面に前記フェース部材を固着する窓孔を設け背面に中空部を介して背面殻を形成すると共に内面の前側にえぐり部を形成し、一側にシャフト取付け部を設けたヘッド本体と、前記ヘッド本体に連結したシャフトとを備えるゴルフクラブの製造方法において、前記ヘッド本体の前面側から窓孔を通して挿入し前記中空部及びえぐり部を形成するための突部を設けた金型により該ヘッド本体を加工した後、前記窓孔にフェース部材を溶接により固着することを特徴とするゴルフクラブの製造方法である。
【発明の効果】
【０００９】
　請求項１の発明によれば、機械加工部を他の部位により邪魔されることなく挿入して、加工の自由度を向上できる。
【００１０】
　請求項２の発明によれば、加工の自由度を向上してヘッド本体の加工を行うことができる。
【発明を実施するための最良の形態】
【００１１】
　本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。実施形態ではレーザー溶接によりフェース板を固着したが、他の溶接例えばＴＩＧ用接などの他の溶接手段でもよく、また溶接以外に接着、あるいは圧入、嵌着などの固着手段でもよい。
【００１２】
　(参考例１)以下、本発明の実施形態を添付図面を参照して説明する。 図１乃至図３はアイアン形クラブの参考例を示しており、アイアン形クラブはアイアン形の鍛造製のヘッド１とシャフト２を備えており、前記ヘッド１はニッケル・ベリリウム合金、ステンレスなどからなり前面にゴルフボール（図示せず）を打撃するためのフェース３が形成され、このフェース３の上部にトップ４、下部にソール５、一側にヒール７、他側にトウ６を形成している。そしてヒール７の上部にホーゼルなどと称するシャフト取り付け部８を斜め上方へ突設すると共に、該シャフト取り付け部８にシャフト２の下端を連結したものである。
【００１３】
　さらに、ヘッド１の背面に周辺に重量配分して、慣性モーメントを増大させるための凹部９を形成する。この凹部９にはフェース３と対向する底面９Ａ、上部に上内面９Ｂ、下部に下内面９Ｃ、一側に一側内面９Ｄ及び他側に他側内面９Ｅを形成している。尚、図中10はフェース３に形成したスコアライン等と称する横溝である。
【００１４】
　そして、前記凹部９の底面９Ａのトップ４とソール５方向の最大長さ、すなわち上内面９Ｂと下内面９Ｃ間の最大長さをＨ１とし、トウ６とヒール７方向の最大長さ、すなわち一側内面９Ｄと他側内面９Ｅ間の最大長さをＷ１としたとき、Ｈ１／Ｗ１≧０.６となるように形成する。このＨ１／Ｗ１の比率は好ましくは０．６≦Ｈ１／Ｗ１≦０.９、さらに好ましくは０．６５≦Ｈ１／Ｗ１≦０.８５であり、全部又は一部のアイアン形クラブを同一又はほぼ同一の比率としたり、或いは番手が大きくなると前記比率が大きくなるように各番手により異なるように形成する。次に各番手のＨ１／Ｗ１に係る具体的比率を記載する。尚、（）で示した数値は従来のアイアン形クラブの比率である。３番アイアンでは０．６９（０.５６）、４番アイアンでは０．６９（０．５６）、５番アイアンでは０．７５（０．５６）、６番アイアンでは０．７５（０．５６）、７番アイアンでは０．７６（０．５６）、８番アイアンでは０．７８（０．５９）、９番アイアンでは０．８１（０．５９）とする。
【００１５】
　さらに、前記凹部９の底面９Ａのトップ４とソール５方向の最大長さをＨ１とし、フェース３の最大長さ、すなわちトップ４とソール５間の最大長さをＨ２としたとき、０.７≦Ｈ１／Ｈ２≦０.８５となるように形成する。このＨ１／Ｈ２の比率は好ましくは０.７５≦Ｈ１／Ｈ２≦０.８５である。そして、全部又は一部のアイアン形クラブを同一又はほぼ同一の比率としたり、或いは番手によって異なるようにしてもよい。次に各番手のＨ１／Ｈ２に係る具体的比率を記載する。尚、（）で示した数値は従来のアイアン形クラブの比率である。３番アイアンでは０．８０（０.６９）、４番アイアンでは０．７８（０．６９）、５番アイアンでは０．８１（０．６８）、６番アイアンでは０．８０（０．６７）、７番アイアンでは０．７９（０．６５）、８番アイアンでは０．７９（０．６５）、９番アイアンでは０．８１（０．６４）とする。
【００１６】
　（参考例２）
　次に参考例２を図４乃至図１０を参照して説明する。尚、前記参考例と同一部分には同一符号を付し、その詳細な説明を省略する。 図６〜図９に示すようにヘッド１は、一側にシャフト取り付け部８を設けると共に、前面にフェース３に対応して窓孔11を、フェース３と対向する底面９Ａ、上部に上内面９Ｂ、下部に下内面９Ｃ、一側に一側内面９Ｄ及び他側に他側内面９Ｅを形成した凹部９の底面９Ａに連通するように形成したヘッド本体１Ａと、前記窓孔11に固着するフェース部材たるフェース板14とからなる。窓孔11の周縁部12は底面９Ａの上内面９Ｂ、下内面９Ｃ、一側内面９Ｄ及び他側内面９Ｅよりも大きく外側に段部13を介して配置されている。そして、窓孔11にフェース板14が嵌合してその背面を段部13の底面15に当接し嵌合して固着している。さらに、キャビティを形成する凹部９の内下面９Ｃのフェース３側にアンダーカット部たるえぐり部16を形成する。このえぐり部16はソール５に向けて凹設したものであり、下内面９Ｃにおける一側内面９Ｄ側から他側内面９Ｅ側にかけて形成されており、その深さＤ、すなわちえぐり部16の最深部と内下面９Ｃとの距離Ｄを７ｍｍ以上、好ましくは１０ｍｍ以上に形成している。
【００１７】
　次に製造方法について説明する。 図４に示すようにまずニッケル・ベリリウム合金、ステンレスや軟鋼などの金属原材料を金型（図示せず）を利用して大まかなヘッド原型17を形成する。このヘッド原型17には、フェース３、トップ４、ソール５、トウ６、ヒール７及びシャフト取り付け部８に夫々対応するフェース対応部３Ａ、トップ対応部４Ａ、ソール対応部５Ａ、トウ対応部６Ａ、ヒール対応部７Ａ、シャフト取り付け部対応部８Ａ及びキャビティを形成する凹部９の凹部対応部９´Ｂを形成している。そしてヘッド原型17よりフェース対応部３Ａのみをくりぬき、ヘッド原型17、フェース対応部材３Ａをさらに鍛造、圧延、切削、研磨等で加工してヘッド本体１Ａ、フェース板14を形成する。
【００１８】
　 図８に示すようにヘッド本体１Ａにおいては凹部９、窓孔11などを形成すると共に、えぐり部16を形成する。えぐり部16はエンドミル、バイトなどの切削具或いは研磨具等の機械加工部20により加工されるものであり、加工部20を前面側より窓孔11を通し、そして内下面９Ｃの前部側を切削或いは研磨して形成されるものである。
【００１９】
　さらに、えぐり部16等を形成したヘッド本体１Ａとフェース板14の固着をレーザー溶接により行なう。これは 図５，６，７、１０に示すように、予め窓孔11の周縁部12の全部又は一部、実施形態ではトップ４とソール５側に小さい凸部18を周縁部12に沿って予め形成しておく。この凸部18は高さＸが１ｍｍ以下、好ましくは０.８ｍｍ程度で、幅Ｙが１ｍｍ以下、好ましくは０.５ｍｍである。またフェース板14の背面の縁を例えば所定の４５度以上の仰角、例えば仰角８０度の角度で０．５〜１.５ｍｍ程度の凹部たる面取り部19を予め形成しておく。そしてフェース板14を窓孔11に嵌合した後に、レーザー溶接機のヘッド21を窓孔11の縁12に向けてレーザー溶接を行なう。この際凸部18も溶融して、溶接された中央部が盛り上がり、その両側は熱によりヒケが起こり、窪んでしまうが、前記凸部18の溶融金属が窪みに流れ込み窪みの発生を防止することができる。また、レーザー光が前面より照射して溶接を行なうが、フェース板14の背面に面取り部19を形成してフェース板14と底面15との間に空隙22が形成されるので、部分的に厚みを薄くして貫通溶接とすることでレーザー溶接時に生じる気泡の逃げ箇所を確保することができる。前記レーザー溶接は例えば出力が４５０Ｗ、速度２５０ｍｍ／分、パルス数３０ｐｐｓ、溶け込み深さ１.５〜１.６ｍｍ程度とする。尚、面取り部19は空隙22を形成するものであればよく、面の形状や角度などは変形が可能である。
【００２０】
　以上のように、前記参考例では、前記凹部９の内下面９Ｃはソール５方向にアンダーカット形状となっており、このえぐり部16の最深部は７ｍｍ以上の深さＤを有することで、重心深度が深くなり、よりスイートエリアが広くなると共に、ゴルフボールが上がりやすいゴルフクラブを提供することができる。しかもえぐり部16は凹部９の内下面９Ｃのフェース３側に配置したことでフェース３により近い部分の金属部分をなくすことでフェース３を効率よくたわませることができる。
【００２１】
　また、前記参考例ではフェース板14と、前面にフェース板14を固着する窓孔11を設け背面に凹部９を形成すると共に一側にシャフト取付け部８を設けたヘッド本体１Ａと、前記ヘッド本体１Ａに連結したシャフト２とを備えるゴルフクラブ及びその製造方法において、ヘッド本体１Ａの前面側から機械加工部20を窓孔11を通してヘッド本体１Ａの一部を形成する前記凹部９の内下面９Ｃを加工して、該凹部９の内下面９Ｃをアンダーカット形状に形成してえぐり部16を形成した後、前記窓孔11にフェース板14をレーザー溶接により固着するように製造することにより、えぐり部16の加工において機械加工部20を他の部位により邪魔されることなく深く挿入して加工することができ、加工の自由度を向上してえぐり部16を深く形成したりすることが可能である。この結果フェース３の形状や面積などもえぐり部16の形成に伴ない制限されるようなこともない。
【００２２】
　さらに、参考例ではゴルフクラブの製造方法において、原材料を鍛造していったんフェース対応部３Ａ及び凹部対応部９Ｂを形成したヘッド原型17を形成し、このヘッド原型17の前記フェース対応部３Ａをくりぬき、該くりぬいたフェース対応部材３Ａを加工してフェース板14を形成し、前記ヘッド原型17のくりぬかれた箇所に前記窓孔11を設けると共に、前記凹部対応部９Ｂにアンダーカット部たるえぐり部16を形成し、この後前記フェース板14を前記窓孔11にレーザー溶接により固着することで、同一材質からなるヘッド１であっても、いったんフェース対応部３Ａをくりぬくことでえぐり部16の加工において機械加工部20を他の部位により邪魔されることなく深く挿入して加工することができ、加工の自由度を向上してえぐり部16を深く形成したりすることが可能である。この結果フェース３の形状や面積などもえぐり部16の形成に伴ない制限されるようなこともない。
【００２３】
　しかも、参考例では前記ヘッド本体１を鍛造により形成することにより、鍛流線を形成し、金属組織を密にすることにより強度の向上を図ることができ、またロフト角、ライ角の調整も可能である。
【００２４】
　さらに、前記参考例では前面にフェース３を形成すると共に、一側にシャフト取付け部８を設けたヘッド１にシャフト２を連結したゴルフクラブにおいて、前記ヘッド１をヘッド本体１Ａとフェース板14の複数の部材を組み合わせて形成すると共に、これらヘッド本体１Ａとフェース板14をレーザー溶接により固着し、かつ前記レーザー溶接される部材たるヘッド本体１Ａの周縁部12の全部または一部にヒケ防止用の凸部18を形成したことにより、レーザー溶接時に溶接箇所にひけが起こり、窪もうとしても凸部18の溶融金属がこれを埋めてひけの防止を図ることができる。特に凸部18は高さＸが１ｍｍ以下、好ましくは０.８ｍｍ程度で、幅Ｙが１ｍｍ以下、好ましくは０．５ｍｍとすることで、レーザーの焦点が合わなくなるようなことはなく、凸部18を確実に溶融することができる。しかし凸部18を前記大きさより大きくするとレーザーの焦点が合わなくなり、この結果凸部18を確実に溶融することができなくなる虞がある。また、ヘッド本体１Ａとフェース板14の複数の部材を組み合わせて形成すると共に、一側にシャフト取付け部８を設けたヘッド１にシャフト２を連結したゴルフクラブにおいて、前記レーザー溶接される部材たるヘッド本体１Ａの周縁部12の全部または一部にヒケ防止用の凸部18を形成したゴルフクラブとすることにより、溶接に伴うひけの防止を図ることができる。また、前記ヘッド１をヘッド本体１Ａとフェース板14の複数の部材を組み合わせて形成すると共に、これら複数の部材をレーザー溶接により固着し、かつ前記レーザー溶接されるフェース板部材14の背面に面取り部19を形成したことで、レーザー溶接の加工時に材料の厚みを薄くして貫通溶接とすることで、気泡の逃げ場を間隙22を確保することで、気泡が溶接部に閉じ込められず、この結果ピンホールが溶接箇所に形成されることはないので、良好な溶接を行なうことができると共に、溶接箇所を研磨などしてもピンホールがあらわれることがないので仕上げをきれいにすることができる。前記実施形態ではヘッド本体１Ａとフェース板14をレーザー（ビーム）溶接により固着したものを示した。このようにレーザー溶接が好ましい理由としては、ＴＩＧ溶接の場合と比較して熱影響部が少ないので、熱影響を受けやすい材料にも使用することができ、また歪が少なく、さらに異種金属との溶接が加工であると共に溶可棒が不要で自動化しやすく、しかも溶接部がＶ字状となり良好な溶接を行なうことができる。またレーザー溶接ではレーザー光は電磁波であるのではなはだしいエネルギーの減衰や光学的特性の低下を生じることなく大気中を伝播でき、作業雰囲気に制約はなく、さらに光学機器（レンズや鏡）によって集光や進路の変更が行なえ、また電磁場の影響を受けないので加工ジグへの制約はなく、さらに金属及び非金属双方が加工対象物となると共に、母材からのＸ線の放射は生じない。この点電子ビーム溶接は原則として真空環境が必要であり、設備や作業性に問題がある。ＴＩＧ溶接では熱影響が大きいため歪みが多く、手作業のため時間がかかり、ビードラインも不安定である。この点レーザー溶接機を用い、溶接を自動プログラミングにより実施することでＴＩＧ溶接に比べコストを低減することができる。
【００２５】
　（参考例３）
　次に 図１１に基づいて参考例３を説明する。尚、前記参考例と同一部分は同一符号を付し、その詳細な説明を省略する。
【００２６】
　ヘッドは、一側にシャフト取り付け部８を設けると共に、前面にフェースに対応して窓孔11を、フェースと対向する底面９Ａ、上部に上内面９Ｂ、下部に下内面９Ｃ、一側に一側内面及び他側に他側内面９Ｅを形成した凹部９の底面９Ａに連通するように形成したヘッド本体１Ａと、前記窓孔11に固着するフェース部材たるフェース板とからなる。窓孔11の周縁部12は上内面９Ｂ、下内面９Ｃ、一側内面９及び他側内面９Ｅよりも大きく外側に段部13を介して配置されている。そして、窓孔11にフェース板が嵌合してその背面を段部13の底面15に当接し嵌合して固着している。さらに、キャビティを形成する凹部９の内下面９Ｃのフェース側にアンダーカット部たるえぐり部16を形成する。このえぐり部16はソール５に向けて凹設したものである。
【００２７】
　窓孔11を形成したヘッド本体１Ａは一方の金型31のキャビティ32に収容されると共に、該キャビティ32により成形される。一方の金型31に合致する他方の金型33には窓孔11を成形するための凸所34の他にえぐり部16を鍛造成形により形成するための突部35が窓孔11を通して形成されているようになっている。したがって、一方の金型31のキャビティ32にヘッド本体１Ａを収容すると共に、他方の金型33を一方の金型31に合致して圧力を加えると凸所34により窓孔11が成形され、さらに突部35により内下面９Ｃを加工してえぐり部16を成形することができる。
【００２８】
　以上のように、前記実施例では、前記ヘッド本体１の窓孔11側から金型33の突部35を窓孔11を通して前記凹部９の内下面９Ｃを加工して、ヘッド本体１の一部である凹部９の内下面９Ｃをアンダーカット形状に形成した後、前記窓孔11にフェース板14をレーザー溶接により固着するようにしたことにより、えぐり部16の加工において突部35を他の部位により邪魔されることなく深く挿入して加工することができ、加工の自由度を向上してえぐり部16を深く形成したりすることが可能である。この結果フェース３の形状や面積などもえぐり部16の形成に伴ない制限されるようなこともない。
【実施例１】
【００２９】
　図１２は実施例１を示しており、前記参考例と同一部分には同一符号を付し、その詳細な説明を省略する。 図１２に示すようにヘッド本体１Ａの背面に中空部41を介して背面殻42を一体に設けたいわゆる中空アイアン式のゴルフクラブである。このような中空アイアン式のものではフェース板14と、前面にフェース板14を固着する窓孔11を設け背面に中空部41を形成すると共に一側にシャフト取付け部８を設けたヘッド本体１Ａと、前記ヘッド本体１Ａに連結したシャフト２とを備える。窓孔11の周縁部12は外側に段部13を介して配置されている。そして、窓孔11にフェース板14が嵌合してその背面を段部13の底面15に当接し嵌合して固着している。
【００３０】
　ゴルフクラブの製造方法において、ヘッド本体１Ａの前面側から機械加工部20を窓孔11を通してヘッド本体１Ａの一部を形成する前記中空部41を加工し、そして、えぐり部16はエンドミル、バイトなどの切削具或いは研磨具等の機械加工部20により加工されるものであり、加工部20を前面側より窓孔11を通し、内下面の前部側を切削或いは研磨して形成されるものである。この後、前記窓孔11にフェース板14をレーザー溶接により固着するように製造する。これにより、中空部41の加工において機械加工部20を他の部位により邪魔されることなく深く挿入して加工することができ、加工の自由度を向上して中空部41を深く形成したりすることが可能である。
【００３１】
　したがって、ゴルフクラブの製造方法において、ヘッド本体１Ａの前面側から機械加工部20を窓孔11を通してヘッド本体１Ａの一部を形成する内下面を前側から加工して、アンダーカット形状に形成してえぐり部16を形成した後、前記窓孔11にフェース板14をレーザー溶接により固着するように製造することにより、えぐり部16の加工において機械加工部20を他の部位により邪魔されることなく深く挿入して加工することができ、加工の自由度を向上してえぐり部16を深く形成したりすることが可能である。この結果フェース３の形状や面積などもえぐり部16の形成に伴ない制限されるようなこともない。
【実施例２】
【００３２】
　前記参考例、実施例と同一部分には同一符号を付し、その詳細な説明を省略する。 図１３に示すように中空アイアン式のものでは、ヘッド本体１Ａの背面に中空部41を介して背面殻42を一体に設けたいわゆる中空アイアン式のゴルフクラブである。このような中空アイアン式のものではフェース板と、前面にフェース板を固着する窓孔11を設け背面に中空部41を形成すると共に一側にシャフト取付け部８を設けたヘッド本体１Ａと、前記ヘッド本体１Ａに連結したシャフト２とを備える。窓孔11の周縁部12は外側に段部13を介して配置されている。そして、窓孔11にフェース板が嵌合してその背面を段部13の底面15に当接し嵌合して固着している。
【００３３】
　ゴルフクラブの製造方法において、前記ヘッド本体１の窓孔11側から金型33の突部34Ａ，35Ａを窓孔11を通して中空部41、えぐり部16を内下面のフェース３側に形成するように加工した後、前記窓孔11にフェース部材をレーザー溶接により固着するようにしたことにより、中空部41の加工において突部35Ａを他の部位により邪魔されることなく深く挿入して加工することができ、加工の自由度を向上して深く形成したりすることが可能である。
【００３４】
　以上のように、前記実施例では、前記ヘッド本体１Ａの窓孔11側から金型33の突部35Ａを窓孔11を通して内下面を加工して、ヘッド本体１Ａの内下面をアンダーカット形状に形成した後、前記窓孔11にフェース板をレーザー溶接により固着するようにしたことにより、えぐり部16の加工において突部35Ａを他の部位により邪魔されることなく深く挿入して加工することができ、加工の自由度を向上してえぐり部16を深く形成したりすることが可能である。この結果フェース３の形状や面積などもえぐり部16の形成に伴ない制限されるようなこともない。
【産業上の利用可能性】
【００３５】
　以上のように本発明にかかるゴルフクラブの製造方法は、種々のゴルフクラブの用途にも適用できる。
【図面の簡単な説明】
【００３６】
【図１】本発明の参考例１を示す正面図である。
【図２】本発明の参考例１を示す背面図である。
【図３】本発明の参考例１を示す断面図である。
【図４】本発明の参考例２を示すヘッド原型の分解斜視図である。
【図５】本発明の参考例２を示す正面側から見た分解斜視図である。
【図６】本発明の参考例２を示す背面側から見た分解斜視図である。
【図７】本発明の参考例２を示す正面図である。
【図８】本発明の参考例２を示す機械加工時の斜視図である。
【図９】本発明の参考例２を示す断面図である。
【図１０】発明の参考例２を示す溶接時の断面図である。
【図１１】本発明の参考例３を示す断面図である。
【図１２】本発明の実施例１を示す断面図である。
【図１３】本発明の実施例２を示す断面図である。
【符号の説明】
【００３７】
１Ａ ヘッド本体
２ シャフト
８ シャフト取付け部
11 窓孔
14 フェース板（フェース部材）
16 えぐり部（アンダーカット部）
20 機械加工部
31　33 金型
34Ａ　 35   35Ａ 突部（金型）
41　中空部
42　背面殻
【図１】
2004008810.tif 000003
【図２】
2004008810.tif 000004
【図３】
2004008810.tif 000005
【図４】
2004008810.tif 000006
【図５】
2004008810.tif 000007
【図６】
2004008810.tif 000008
【図７】
2004008810.tif 000009
【図８】
2004008810.tif 000010
【図９】
2004008810.tif 000011
【図１０】
2004008810.tif 000012
【図１１】
2004008810.tif 000013
【図１２】
2004008810.tif 000014
【図１３】
2004008810.tif 000015